(57)【要約】【課題】  スプリングガイドの支持剛性および支持強度を向上させることができ、かつ組み立て工数を削減することが可能なメモリカード保持構造を得る。【解決手段】  スプリングガイド１１の基端部１１ａをコンタクトブロック７に埋設して一体化するとともに、その基端部先端１１ｂをコンタクトブロック７から突出して、接触端子１０の基端部先端１０ｄを半田付けする回路基板２１に半田付けできるようにした。【選択図】      図６
2007094507.tif 000002
【特許請求の範囲】
【請求項１】
メモリカードを挿抜可能に受容するカード受容部を設けたシェル部材と、
前記カード受容部の奥側に設けられたコンタクトブロックと、
前記コンタクトブロックに固定されるとともに、前記カード受容部内に突出してメモリカードの端子と接触する一方、その基端側が回路基板に接合される接触端子と、
メモリカードの挿抜に伴って前記カード受容部内でその挿入口側と奥側との間で進退移動するスライダと、
前記スライダをカード受容部の挿入口側に押圧付勢するコイルスプリングと、
前記コンタクトブロックに固定され、前記挿入口側に伸びて前記コイルスプリングの巻線内側に挿通されるスプリングガイドと、
を備えたメモリカード保持構造であって、
前記スプリングガイドの基端側に、前記回路基板に接合するための接合部を設けたことを特徴とするメモリカード保持構造。
【請求項２】
前記スライダには前記スプリングガイドを挿入する凹部が形成され、スライダが前記カード受容部の挿入口側に位置する状態で、当該スプリングガイドの当該挿入口側の先端部が前記凹部内に挿入されるようにしたことを特徴とする請求項１に記載のメモリカード保持構造。
【発明の詳細な説明】
【技術分野】
【０００１】
本発明は、メモリカード保持構造に関する。
【背景技術】
【０００２】
近年では、ディジタルカメラや携帯電話等の種々の電子機器において、ミニＳＤメモリカード（登録商標）等の小型記憶媒体（以下、メモリカードと称する）を挿抜可能に装着するためのメモリカード保持構造を装備したものが増加しつつある。
【０００３】
この種のメモリカード保持構造では、典型的には、電子機器側に固定されるメモリカードのケースに形成されたカード受容部内にメモリカードが挿入された状態で、当該メモリカードの各端子（Ｉ／Ｏ接触面）にそれぞれ接触する複数の接触端子（コンタクト）が設けられており、それら接触端子を介してメモリカードと前記電子機器との間で各種データや信号の授受が行われるようになっている。
【０００４】
かかるメモリカード保持構造では、カード受容部内に、メモリカードの挿抜に伴って進退移動するスライダが設けるとともに、このスライダをカード受容部の挿入口側に付勢するコイルスプリングを設け、メモリカードの取り出し時には、当該スライダを介してメモリカードを押し出すようになっている。
【０００５】
このとき、コイルスプリングの巻線内側には棒状のスプリングガイドが挿通されており、このスプリングガイドによって、コイルスプリングの位置決めや座屈の抑制を図っている（例えば、特許文献１参照）。
【特許文献１】特開２００４−１１９１８２号公報（第４頁、第４図）
【発明の開示】
【発明が解決しようとする課題】
【０００６】
しかしながら、上記従来構造では、スプリングガイドをケースとは別体として、組み立て時に、スプリングガイドの先端側をコイルスプリングに挿入するとともに、基端側に形成した鍔部を、ケースのプレートに形成した切り込みに係止させるように構成されている。
【０００７】
すなわち、スプリングガイドの固定は、鍔部を介して単にプレートの切り込みに係止することのみで行われるようになっており、スプリングガイドの支持強度を大きく設定しにくくなるとともに、アセンブリする際にスプリングガイドを組み付けるため、組み付け工数が増加して生産性が悪化してしまうという問題があった。
【０００８】
そこで、本発明は、スプリングガイドの支持剛性および支持強度を向上させることができ、かつ組み立て工数を削減することが可能なメモリカード保持構造を得ることを目的とする。
【課題を解決するための手段】
【０００９】
請求項１の発明にあっては、メモリカードを挿抜可能に受容するカード受容部を設けたシェル部材と、上記カード受容部の奥側に設けられたコンタクトブロックと、上記コンタクトブロックに固定されるとともに、上記カード受容部内に突出してメモリカードの端子と接触する一方、その基端側が回路基板に接合される接触端子と、メモリカードの挿抜に伴って上記カード受容部内でその挿入口側と奥側との間で進退移動するスライダと、上記スライダをカード受容部の挿入口側に押圧付勢するコイルスプリングと、上記コンタクトブロックに固定され、上記挿入口側に伸びて上記コイルスプリングの巻線内側に挿通されるスプリングガイドと、を備えたメモリカード保持構造であって、上記スプリングガイドの基端側に、上記回路基板に接合するための接合部を設けたことを特徴とする。
【００１０】
請求項２の発明にあっては、上記スライダには上記スプリングガイドを挿入する凹部が形成され、スライダが上記カード受容部の挿入口側に位置する状態で、当該スプリングガイドの当該挿入口側の先端部が上記凹部内に挿入されるようにしたことを特徴とする。
【発明の効果】
【００１１】
請求項１の発明によれば、スプリングガイドをコンタクトブロックに一体化したため、別部品で単独に加工する必要が無く、したがって、部品点数を削減でき、さらに、メモリカード保持構造の組み立てを、より容易にかつより迅速に行うことができるようになり、組み立て工数を削減して、生産性を向上することができる。
【００１２】
また、スプリングガイドをコンタクトブロックに一体化したことで、そのスプリングガイドの支持剛性および支持強度を増大することができる上、スプリングガイドの他端部を、回路基板に半田付け等で接合することができるため、スプリングガイドの支持剛性および支持強度の更なる増大を図ることができるという利点がある。
【００１３】
請求項２の発明によれば、スライダがカード受容部の挿入口側に位置する状態で、そのスライダに形成した凹部内にスプリングガイドの挿入口側の先端部が挿入されるようにしたため、スライダの進退位置によらず、コイルスプリングの全域を、スプリングガイドおよび凹部のうち少なくともいずれか一方でガイドすることができるようになり、コイルスプリングの座屈をより確実に抑制することができるとともに、スライダの移動をより円滑に行うことができる。
【発明を実施するための最良の形態】
【００１４】
以下、本発明の実施形態を図面と共に詳述する。
【００１５】
図１〜図６は本発明にかかるメモリカード保持構造の一実施形態を示し、図１は、メモリカード保持構造の斜視図、図２は、メモリカードが差し込まれた状態のメモリカード保持構造の斜視図であり、図３は、メモリカード保持構造の分解斜視図である。
【００１６】
また、図４および図５はメモリカードが差し込まれる状態を順を追って示すシェルカバーを外したメモリカード保持構造の平面図であり、図６は接触端子を固定したコンタクトブロックの平面図、図７は接触端子の基端部先端に回路基板を半田付けした状態を示す底面斜視図である。
【００１７】
本実施形態にかかるメモリカード保持構造１は、電子機器等（図示せず）に装備され、メモリカード２０を挿抜可能に装着するためのソケットとして機能するものである。メモリカード２０が装着された状態では、メモリカード２０の表面または裏面に露出形成された端子（電極；図示せず）と、メモリカード保持構造１に設けられた接触端子１０とが接触して導通し、電子機器等とメモリカード２０との間でデータや信号等の授受が可能となる。
【００１８】
また、このメモリカード保持構造１は、メモリカード２０を挿入口（入口、開口）１ｂから凹部としてのカード受容部１ａ内に挿入して押し込むことで当該メモリカード２０が所定の装着状態でロックされ、再度押し込むことでロックが解除されてメモリカード２０がカード受容部１ａの挿入口１ｂから飛び出す、いわゆるプッシュオン・プッシュオフ機能を備えたものとして構成されている。
【００１９】
このメモリカード保持構造１は、基本的には、一側面（前面）に細長い帯状の挿入口１ｂが形成された扁平な角筒状に構成されたケースと、ケースのカード受容部１ａ内で挿入口１ｂ側と奥側との間で進退可能に支持されるスライダ５と、スライダ５をカード受容部１ａ内で挿入口１ｂ側に付勢する付勢機構としてのコイルスプリング８と、カード受容部１ａの奥側に設けられたコンタクトブロック７と、当該コンタクトブロック７に固定された複数の接触端子１０と、を備えて構成されている。
【００２０】
すなわち、このメモリカード保持構造１では、ステンレススチール等の導電性を有する金属板で形成されてメモリカード２０の表裏方向に対向配置されるベースシェル２およびカバーシェル３によって閉断面を備えるシェル部材４が形成され、当該シェル部材４の閉断面によって、メモリカード２０を挿抜可能に受容するカード受容部１ａが形成されている。本実施形態では、ベースシェル２およびカバーシェル３を金属材料によって形成することで、ケースの剛性および強度を確保するとともに、導電性材料とすることで、これらをグラウンド（アース）として利用している。
【００２１】
ベースシェル２は、略正方形状の基底壁部２ａを備え、その基底壁部２ａの対向する一対の幅方向端縁を略直角に折り曲げて略一定高さの側壁２ｂ，２ｃを立設して、全体として扁平な断面Ｕ字状に形成してある。
【００２２】
一対の側壁２ｂ，２ｃのうち、片側（図３中向こう側）の側壁２ｃの挿入口１ｂ側の端部には、基底壁部２ａの角部を起立させて、スライダ５が挿入口１ｂから脱落するのを阻止するストッパー２ｄが形成されており、さらに、基底壁部２ａには、コンタクトブロック７を係着するための爪部２ｅや、メモリカード２０の挿抜方向に沿って伸びる凸条２ｆを設けてある。
【００２３】
一方、カバーシェル３は、図３に示すように、ベースシェル２と同様にステンレススチール等の金属板でベースシェル２の基底壁部２ａと同形状となる略正方形の平板状に形成され、そのカバーシェル３にはメモリカード２０を押さえるためのバネ構造体３ａ，３ｂや、後述のピン６を押さえるためのバネ構造体３ｃが形成されている。
【００２４】
そして、カバーシェル３をベースシェル２の側壁２ｂ，２ｃの起立先端に載置して、それらをレーザー溶接等によって結合することにより、それらカバーシェル３とベースシェル２との間に扁平な閉断面となるカード受容部１ａが形成される。
【００２５】
スライダ５は、当該スライダ５に形成した凹部５ａがベースシェル２に設けた前記凸条２ｆに係合することにより、片側（図３中向こう側）の側壁２ｃに沿って進退案内されるようになっている。このスライダ５にはメモリカード２０の一側縁の段差部２０ａ（図４参照）に適合する係止部５ｂが形成されるとともに、その段差部２０ａよりも差し込み方向とは反対側に形成されるメモリカード２０の切欠部２０ｂ（図４参照）と係合する突起５ｃが形成される。
【００２６】
したがって、メモリカード２０をメモリカード保持構造１の挿入口１ｂからカード受容部１ａ内に差し込むと、メモリカード２０は段差部２０ａが係止部５ｂに突き当たるとともに、切欠部２０ｂが突起５ｃと係合することにより、メモリカード２０がスライダ５に保持された状態でカード受容部１ａ内を進退可能となる。
【００２７】
スライダ５は、一端部６ａをコンタクトブロック７の嵌合穴７ａに回動可能に支持したピン６と、そのピン６の他端部６ｂを所定経路で案内する溝部５ｄと、スライダ５とコンタクトブロック７との間に介装されてスライダ５を挿入口１ｂ側に付勢するコイルスプリング８と、によってカード受容部１ａ内での位置が規制される。
【００２８】
溝部５ｄの底面には適宜な段差が設けられており、ピン６の他端部６ｂをコイルスプリング８の付勢力あるいはメモリカード２０の押し込み力によって溝部５ｄの側壁に突き当てるとともに、カバーシェル３に設けたバネ構造体３ｃによって溝部５ｄの底壁に突き当てることで、ピン６の他端部６ｂを、少なくともある区間では逆行させずに規定された順方向に案内する経路が形成されている。
【００２９】
そして、溝部５ｄの挿入口１ｂ側の一部を平面視で略ハート形にして、いわゆるハートカム機構を形成してあり、上述したメモリカード２０のプッシュオン・プッシュオフ機能が具現化されている。
【００３０】
コンタクトブロック７は、絶縁性樹脂を平面視で略Ｌ字状に形成した奥壁部７ｂと側壁部７ｃとを備えており、奥壁部７ｂをカード受容部１ａの奥側に配置し、かつ、側壁部７ｃをカード受容部１ａの一方の側壁２ｂ（図３中手前側）に沿って配置した状態で、ベースシェル２に爪部２ｅを介して固定される。
【００３１】
奥壁部７ｂには、導電性金属により棒状に形成された複数の接触端子１０が貫通して支持されており、それら接触端子１０の先端部１０ａは奥壁部７ｂから挿入口１ｂに向かってカード受容部１ａ内に突出している。
【００３２】
メモリカード２０は、接触端子１０とカバーシェル３との間に差し込まれるようになっており、その接触端子１０の先端部１０ａには、カバーシェル３方向に滑らかに突出する湾曲部１０ｂが形成されて、メモリカード２０がカード受容部１ａの奥側の所定位置に装着されたときに、湾曲部１０ｂがメモリカード２０のベースシェル２への対向面（図中下面）に形成された電極（メモリカード２０の端子）に接触する。
【００３３】
これら接触端子１０は、図６，図７に示すように、基端部１０ｃがコンタクトブロック７にインサート成形によって埋設されることで、当該コンタクトブロック７に一体化されており、基端部１０ｃの先端１０ｄをコンタクトブロック７からカード受容部１ａ（の挿入口１ｂ）の反対側に突出させてある。各基端部１０ｃの先端１０ｄは、回路基板２１（の導体パターンまたは電極）に半田付け等で接合される。
【００３４】
また、図３に示すように、コンタクトブロック７の奥壁部７ｂから突設した円柱状突起７ｄには、可動アーム１２が回動可能に支持されており、その可動アーム１２の回動先端部１２ａは、円柱状突起７ｄに嵌合されるトーションスプリング１３によって挿入口１ｂ方向に付勢された状態で、差し込まれたメモリカード２０の先端部によってカード受容部１ａの奥側に押し込まれる。
【００３５】
したがって、図４に示すように、メモリカード２０がカード受容部１ａの奥側の装着位置まで挿入されていない状態では、可動アーム１２の回動先端部１２ａは挿入口１ｂ方向に押し出された状態にあり、図５に示すように、メモリカード２０がカード受容部１ａの奥側の装着位置まで差し込まれた状態では、可動アーム１２の回動先端部１２ａはカード受容部１ａの奥側に位置することになる。
【００３６】
つまり、可動アーム１２は、メモリカード２０の進退に伴って図４に示す挿入口１ｂ側の位置と、図５に示す奥側の位置との間で回動し、可動アーム１２が挿入口１ｂ側の位置にあるときに、コンタクトブロック７に固定した２つの固定接点１４，１４ａ間を電気的に短絡する一方、可動アーム１２が奥側の位置にあるときには、上記２つの固定接点１４，１４ａ間の電気的導通を遮断するようになっている。
【００３７】
よって、固定接点１４，１４ａ間の電気的導通状態を検知することにより、メモリカード２０がメモリカード保持構造１の所定位置にセットされたか否かを検出することができる。
【００３８】
ここで、本実施形態では、図６，図７に示すように、コンタクトブロック７の奥壁部７ｂには、挿入口１ｂ側に伸びる棒状のスプリングガイド１１が固定されており、コイルスプリング８の巻線内側に挿通されて、コイルスプリング８の座屈変形を防止するようになっている。
【００３９】
このスプリングガイド１１の基端部１１ａは、コンタクトブロック７に埋設して一体化されている。そして、スプリングガイド１１は、カード受容部１ａの挿入口１ｂ側（すなわち一端側）に延伸する一方で、基端部１１ａの先端１１ｂをコンタクトブロック７からカード受容部１ａ（の挿入口１ｂ）の反対側に突出させてある。基端部１１ａの先端１１ｂは、回路基板２１（の導体パターンまたは電極）に半田付けされる。すなわち、本実施形態では、この先端１１ｂが、回路基板に接合するための接合部に相当する。
【００４０】
一方、スライダ５には、図３〜図５に示すように、スプリングガイド１１を挿入する凹部として、挿入孔５ｅが形成されており、図４に示すスライダ５がカード受容部１ａの挿入口１ｂ側に位置する状態、つまりメモリカード２０の未挿入状態でも、スプリングガイド１１の先端部１１ｃが挿入孔５ｅに挿入されるようにしてある。かかる構成は、スプリングガイド１１の長さＬや、スライダ５の形状等を適宜に設定することで実現できる。
【００４１】
また、スライダ５には、コイルスプリング８を収納する凹部５ｆが形成されており、図５に示すコイルスプリング８が最も圧縮された状態で、座屈することなく凹部５ｆに収まる深さに設定してある。本実施形態では、この状態でスライダ５が奥壁部７ｂに当接するため、圧縮されたコイルスプリング８は、凹部５ｆ内に完全に収納される。かかる構成では、スプリングガイド１１の挿入孔５ｅは、凹部５ｆの底面からさらに挿入口１ｂ側に伸びることになる。
【００４２】
以上の本実施形態によれば、図４に示すようにカード受容部１ａの挿入口１ｂからメモリカード２０を差し込んで、図５に示すようにそのメモリカード２０を押し込んだ際に、スライダ５はコイルスプリング８を圧縮しつつカード受容部１ａの奥側に移動する。
【００４３】
このとき、コイルスプリング８の巻線内側にはスプリングガイド１１が挿通されているため、コイルスプリング８が圧縮される際にスプリングガイド１１に案内され、コイルスプリング８に座屈が生じるのが抑制される。なお、スライダ５に設けた凹部５ｆも、コイルスプリング８のガイドとして機能する。
【００４４】
そして、本実施形態では、スプリングガイド１１の基端部１１ａを、接触端子１０を固定したコンタクトブロック７に埋設して一体化してあるので、メモリカード保持構造１の組み立て時には、コンタクトブロック７を組み付けることによって、スプリングガイド１１を装着することができるため、スプリングガイド１１を別部品として加工せず、一体成形するので、従来に比べて部品点数を削減でき、かつ、組み付け工数を削減して、生産性を向上することができる。
【００４５】
また、スプリングガイド１１をコンタクトブロック７に一体化したため、スプリングガイド１１の支持剛性および支持強度を従来より高めることができ、さらには、スプリングガイド１１の基端部１１ａの先端１１ｂを回路基板２１に半田付け等で接合することができるため、スプリングガイド１１の支持剛性および支持強度の更なる増大を図ることができるという利点がある。
【００４６】
このとき、図７に示すように、接触端子１０の基端部１０ｃの先端１０ｄと、スプリングガイド１１の基端部１１ａの先端１１ｂとを、ほぼ同じ位置に配設し、しかも、ほぼ同じ形状としたため、接触端子１０の先端１１ｂを回路基板２１に接合する工程と、スプリングガイド１１の先端１１ｂを回路基板２１に接合する工程とを、一度に、同じ工程で、しかも、ほぼ同様の作業として行うことができ、作業効率を向上することができる。
【００４７】
さらに、本実施形態によれば、スライダ５がカード受容部１ａの挿入口１ｂ側に位置する状態で、そのスライダ５に形成した凹部としての挿入孔５ｅにスプリングガイド１１の先端部１１ｃが挿入されるようにしたため、スライダ５の進退位置によらず、コイルスプリング８の全域を、スプリングガイド１１および挿入孔５ｅのうち少なくともいずれか一方でガイドすることができるようになり、コイルスプリング８の座屈をより確実に抑制することができるとともに、スライダ５の移動をより円滑に行うことができるようになる。
【００４８】
ところで、本発明は前記実施形態に例をとって説明したが、その実施形態に限ることなく本発明の要旨を逸脱しない範囲で他の実施形態を各種採用することができる。
【図面の簡単な説明】
【００４９】
【図１】本発明の一実施形態にかかるメモリカード保持構造の斜視図。
【図２】本発明の一実施形態にかかるメモリカード保持構造の斜視図であって、メモリカードが差し込まれた状態を示す図。
【図３】本発明の一実施形態にかかるメモリカード保持構造の分解斜視図。
【図４】本発明の一実施形態にかかるメモリカード保持構造のシェルカバーを外した状態での平面図であって、メモリカードが装着される前の状態を示す図。
【図５】本発明の一実施形態にかかるメモリカード保持構造のシェルカバーを外した状態での平面図であって、メモリカードが装着された状態を示す図。
【図６】本発明の一実施形態にかかるメモリカード保持構造の複数の接触端子およびスプリングガイドを固定したコンタクトブロックの平面図。
【図７】本発明の一実施形態にかかるメモリカード保持構造の複数の接触端子およびスプリングガイドを固定したコンタクトブロックを底面側から見た斜視図。
【符号の説明】
【００５０】
１  メモリカード保持構造
１ａ  カード受容部
１ｂ  挿入口
４  シェル部材
５  スライダ
５ｅ  挿入孔（凹部）
７  コンタクトブロック
８  コイルスプリング
１０  接触端子
１１  スプリングガイド
１１ｂ  先端（接合部）
２０  メモリカード
２１  回路基板
【図１】
2007094507.tif 000003
【図２】
2007094507.tif 000004
【図３】
2007094507.tif 000005
【図４】
2007094507.tif 000006
【図５】
2007094507.tif 000007
【図６】
2007094507.tif 000008
【図７】
2007094507.tif 000009